(57)【要約】      （修正有）【課題】杭抜き穴へ土を充填して埋め戻す際、爾後に地盤沈下が生じないよう埋め戻した土内に空隙を生じさせることなく充填してなる杭抜き穴への完全埋め戻し工法を提供する。【解決手段】地中に打ち込まれた既設杭を抜き取った後の穴に土を埋め戻す際、埋め戻した土の中に空隙を残すことなく強固な地盤に再生する埋め戻し工法であって、クレーン車又は杭抜き機等の建設機械に懸吊された重錘と、杭抜き穴内６に埋め戻された土の上に配置される板体と、前記重錘と板体間に介在させてなる振動発生装置とで構成された重圧振動付与機構１により、前記板体に発生させた重圧振動によって、杭抜き穴６に投入した土面に前記板体を押し当て、その重圧振動によって土を強固に充填し埋め戻す。【選択図】図２
2020094392.tif 000002
【特許請求の範囲】
【請求項１】
地中の既設杭を抜き取った後の杭抜き穴に土を充填して埋め戻す際、埋め戻した土の中に空隙を残すことなく強固な地盤に再生する杭抜き穴の埋め戻し工法であって、
クレーン車又は杭抜き機等の建設機械に懸吊された重錘と同重錘の下部に取着された板体と、前記重錘と板体の間に介装された振動発生装置とから構成される重圧振動付与機構によって、杭抜き穴の下部から上部に向かって土を投入しながら、前記板体を土面に押し当て、その重圧振動によって土を上部まで強固に充填して埋め戻すことを特徴とする杭抜き穴の完全埋め戻し工法。
【請求項２】
地中の既設杭を抜き取った後の杭抜き穴に土を充填して埋め戻す際、埋め戻した土の中に空隙を残すことなく強固な地盤に再生する杭抜き穴の埋め戻し工法であって、
クレーン車又は杭抜き機等の建設機械に懸吊された重錘と、杭抜き穴内に埋め戻された良質土の上に配置される円板と、前記重錘と円板間に介装された油圧による高周波振動発生装置とが一体に構成された重圧高周波振動付与機構により、前記円板に発生させた重圧高周波振動によって、埋め戻された土を強固に押し固めることを特徴とする杭抜き穴の完全埋め戻し工法。
【請求項３】
前記重圧高周波振動付与機構が、前記杭抜き穴内に挿入可能に構成され、前記杭抜き穴内に埋め戻す土の投入及び押し固めを複数回に分轄実施可能にしてなることを特徴とする請求項２に記載の杭抜き穴の完全埋め戻し工法。
【請求項４】
前記板体に硬度センサーを設けてなり、押し固められた土表面の硬度が所定値となったとき、前記振動発生装置を停止してなることを特徴とする請求項１に記載の杭抜き穴の完全埋め戻し工法。
【請求項５】
前記円板に硬度センサーを設けてなり、押し固められた土表面の硬度が所定値となったとき、前記高周波発生装置を停止してなることを特徴とする請求項２又は３に記載の杭抜き穴の完全埋め戻し工法。
【請求項６】
杭抜き穴内に埋め戻される土が、良質土又はソイルミックスであることを特徴とする請求項１〜５のいずれか１項に記載の杭抜き穴の完全埋め戻し工法。
【発明の詳細な説明】
【技術分野】
【０００１】
地中に打ち込まれた既設杭を抜き取った後の杭抜き穴に、土を空隙なく充填してを残すことなく埋め戻し、強固な地盤に再生する杭抜き穴の完全埋め戻し工法に関する。
【背景技術】
【０００２】
従来、既設杭の杭抜き穴に充填材を入れて埋め戻す作業を行う場合には、その土質に合った埋戻材を調整して、その埋戻材を杭抜き穴に充填している。
しかし、杭を引き抜いてできた穴には周囲の土砂が崩れて溜まっていたり、掘削に使用した水や地下水が溜まっていたりするため、単に穴の開口上部から埋戻材を投入しても穴の内部に充分に行き渡らないことが多く、埋め戻した穴の内部に埋戻材の充填むらや空隙ができてしまうことが指摘されている。
【先行技術文献】
【特許文献】
【０００３】
【特許文献１】特開２００９ー２５６９９９号
【発明の概要】
【発明が解決しようとする課題】
【０００４】
本発明は、杭抜き穴へ土を充填して埋め戻す際、爾後に地盤沈下が生じないよう埋め戻した土内に空隙を生じさせることなく充填してなる杭抜き穴への完全埋め戻し工法の提供を課題とする。
【課題を解決するための手段】
【０００５】
本発明者は上記課題を下記の手段により解決した。
（１）地中の既設杭を抜き取った後の杭抜き穴に土を充填して埋め戻す際、埋め戻した土の中に空隙を残すことなく強固な地盤に再生する杭抜き穴の埋め戻し工法であって、
クレーン車又は杭抜き機等の建設機械に懸吊された重錘と同重錘の下部に取着された板体と、前記重錘と板体の間に介装された振動発生装置とから構成される重圧振動付与機構によって、杭抜き穴の下部から上部に向かって土を投入しながら、前記板体を土面に押し当て、その重圧振動によって土を上部まで強固に充填して埋め戻すことを特徴とする杭抜き穴の完全埋め戻し工法。
【０００６】
（２）地中の既設杭を抜き取った後の杭抜き穴に土を充填して埋め戻す際、埋め戻した土の中に空隙を残すことなく強固な地盤に再生する杭抜き穴の埋め戻し工法であって、
クレーン車又は杭抜き機等の建設機械に懸吊された重錘と、杭抜き穴内に埋め戻された土の上に配置される円板と、前記重錘と円板間に介装された油圧による高周波振動発生装置とが一体に構成された重圧高周波振動付与機構により、前記円板に発生させた高周波振動によって、埋め戻された土を強固に押し固めることを特徴とする杭抜き穴の完全埋め戻し工法。
【０００７】
（３）前記重圧高周波振動付与機構が、前記杭抜き穴内に挿入可能に構成され、前記杭抜き穴内に埋め戻す土の投入及び押し固めを複数回に分轄実施可能にしてなることを特徴とする（２）に記載の杭抜き穴の完全埋め戻し工法。
【０００８】
（４）前記板体に硬度センサーを設けてなり、押し固められた土表面の硬度が所定値となったとき、前記振動発生装置を停止してなることを特徴とする（１）に記載の杭抜き穴の完全埋め戻し工法。
（５）前記円板に硬度センサーを設けてなり、押し固められた土表面の硬度が所定値となったとき、前記高周波発生装置を停止してなることを特徴とする（２）又は（３）に記載の杭抜き穴の完全埋め戻し工法。
【０００９】
（６）杭抜き穴内に埋め戻された土が、良質土又はソイルミックスであることを特徴とする（１）〜（５）のいずれか１項に記載の杭抜き穴の完全埋め戻し工法。
【発明の効果】
【００１０】
本発明の杭抜き穴の完全埋め戻し工法によって下記の効果が発揮される。
〈１〉地中の既設杭を抜き取った後の杭抜き穴に土を充填して埋め戻す際、埋め戻した土の中に空隙を残すことなく強固な地盤に再生する杭抜き穴の埋め戻し工法であって、
クレーン車又は杭抜き機等の建設機械に懸吊された重錘と同重錘の下部に取着された板体と、前記重錘と板体の間に介装された振動発生装置とから構成される重圧高周波振動付与機構によって、杭抜き穴の下部から上部に向かって土を投入しながら、前記板体を土面に押し当て、その重圧振動によって上部まで強固に充填し埋め戻すので、
杭抜き穴内に均一で緻密に接合された強固な土壌が簡単な作業で容易に再生される。
【００１１】
〈２〉地中の既設杭を抜き取った後の杭抜き穴に土を充填して埋め戻す際、埋め戻した土の中に空隙を残すことなく強固な地盤に再生する杭抜き穴の埋め戻し工法であって、
クレーン車又は杭抜き機等の建設機械に懸吊された重錘と、杭抜き穴内に埋め戻された土の上に配置される円板と、前記重錘と円板間に介装された油圧による高周波振動発生装置とが一体に構成された重圧高周波振動付与機構により、前記円板に発生させた重圧高周波振動によって、埋め戻された土を強固に押し固めるので、
埋め戻された土の粒子が重圧高周波振動によって揺り動かされ押し付けられて緻密に接合され、強固な土壌が再生される。
重圧高周波振動は比較的に静かな振動であるため、周辺住民等に振動被害を与えることがない。
【００１２】
〈３〉前記重圧高周波振動機構が、前記杭抜き穴内に挿入可能に構成され、前記杭抜き穴内に埋め戻す土の投入及び重圧振動を複数回に分轄実施可能にしてなり、
かつ、前記板体又は円板には硬度センサーが設けられ、重圧振動によって押し固められた土表面の硬度が所定値となったとき、前記高周波振動発生装置を停止するので、
複数回分轄して土の投入及び重圧高周波振動を実施しても各層の土壌強度は均一となり、杭抜き穴の上部から下部まで安定した地盤となり、前記〈１〉又は〈２〉に記載の効果をより高めることができる。
【００１３】
杭抜き穴内に埋め戻された土が良質土又はソイルミックスであるので、
杭抜き穴周囲の土壌との結合がよく、前記〈３〉に記載の効果をより確実にすることができる。
【図面の簡単な説明】
【００１４】
【図１】本発明の杭抜き穴の完全埋め戻し工法で使用する重圧振動付与機構の構成図
【図２】杭抜き穴への土埋め戻し工程の説明図、（ａ）は杭抜き穴へ土投入時の状態、（ｂ）は投入土の重圧振動時の状態、（ｃ）は投入土の重圧振動終了時の状態、（ｄ）は押し固められた土の上に重ねて土を投入した時の状態、（ｅ）は重ねて投入した土の重圧振動終了時の状態、（ｆ）は杭抜き穴全体に重圧振動付与機構によって土が充填された状態
【発明を実施するための形態】
【００１５】
本発明の杭抜き穴の完全埋め戻し工法実施の形態を、実施例の図に基づいて説明する。
図１は本発明の杭抜き穴の完全埋め戻し工法で使用する重圧振動付与機構の構成図、図２は埋め戻し工程の説明図であり、図において１は重圧振動付与機構、２は重錘、３は板体、４は振動発生装置、５は重圧振動付与機構への油圧供給ホース、６は杭が抜き取られて生じた杭抜き穴、７は杭抜き穴に投入された土、８は押圧土、１０はクレーン車を示す。
【実施例】
【００１６】
本発明は、地中の既設杭を抜き取った後の杭抜き穴６に土を充填して埋め戻す際、埋め戻した土の中に空隙のない強固な地盤に再生することを目的とし、図１に示すように、
クレーン車１０に懸吊された重錘２と同重錘２の下部に取着された板体３と、前記重錘２と板体３の間に介装された振動発生装置４とから構成された重圧振動付与機構１の板体３を、杭抜き穴６に投入した土７の上面に押し当てることによって、前記重圧振動付与機構１からの重圧高周波振動を投入した土７に伝達して、杭抜き穴６の下部から上部まで強固・均質に充填して埋め戻せる杭抜き穴の完全埋め戻し工法である。
【００１７】
本発明の杭抜き穴の完全埋め戻し工法は、図２(a)に示す杭抜き穴６へ埋め戻す土７を投入する第１工程と、次いで行われるクレーン車１０に懸吊された重圧振動付与機構１を図２(ｂ)に示すように杭抜き穴６内に挿入降下して、先に投入した土７の上面に当接して前記重圧振動付与機構１の重錘２によって加重した後、前記重圧振動付与機構１の振動発生装置４を駆動して板体３を高周波振動させ、投入した土７に重圧高周波振動を伝達して押し固める第２工程とで構成され、第２工程において前記板体３に設けられた硬度センサー(図示せず）によって土面が予め定められた硬度値に達したとき［図２（ｃ）］に前記振動発生装置４を停止する。この振動発生装置４の停止はセンサーの出力によって自動制御されることが好ましいが、安全性を考慮して手動停止可能にしておくことも必要となる。
前記第２工程が終了すると、図２（ｄ)に示すようにクレーン車１０のロープ操作によって前記重振動圧付与機構１を杭抜き穴６から上昇させて離脱させ、杭抜き穴６内への土７投入の第１工程に戻り、先に重圧振動によって押し固められた土８の上に土を投入し、図２（ｅ）に示すように前記振動重圧付与機構１を杭抜き穴６に挿入して投入した土を押し固める第２工程を実施する。
このように上記第１及び第２工程を複数回繰り返して行うことによって、杭抜き穴６は図２（ｆ）に示すように完全に充填されて埋め戻され、また埋め戻す土が良質土又はソイルミックスであるので杭抜き穴周囲の土壌との接合もよく安定した地盤に再生できる工法である。
【符号の説明】
【００１８】
１：重圧振動付与機構
２：重錘
３：板体
４：振動発生装置
５：油圧供給ホース
６：杭抜き穴
７；投入土
８：押し固められた土
１０：クレーン車
【図１】
2020094392.tif 000003
【図２】
2020094392.tif 000004